(57)【要約】【解決手段】ギター用のピック体１と該ピック体１を指に固定するベルト体２とから成る。ピック体１は、親指に接触する基端部分１Ｂから弦を弾く突出部分１Ａが一体に延長される。ベルト体２は前記ピック体と別体に形成される。ベルト体２の両端部をピック体１に長さ調整自在に連結する。ピック体１の突出部分１Ａから基端部分１Ｂにかけて屈曲された切込み１Ｃを設ける。該切込み１Ｃの内側に形成した略舌片状の連結片３と前記ベルト体２の一端部とを着脱自在に連結する。【効果】演奏時の指の発熱や発汗によってサムピックの位置がずれてしまう不都合を解消する。ギターの各種演奏法に適したピッキングが可能になる。【選択図】        図２
2004354839.tif 000002
【特許請求の範囲】
【請求項１】
ギター用のピック体と該ピック体を指に固定するベルト体とから成るギター用サムピックにおいて、ピック体は、親指に接触する基端部分から弦を弾く突出部分が一体に延長され、ベルト体は、前記ピック体と別体に形成され、ベルト体の両端部をピック体に長さ調整自在に連結することを特徴とするギター用サムピック。
【請求項２】
前記ピック体の突出部分から基端部分にかけて屈曲された切込みを設け、該切込みの内側に形成した略舌片状の連結片と前記ベルト体の一端部とを着脱自在に連結した請求項１記載のギター用サムピック。
【請求項３】
前記ピック体の基端部末端に、親指の側面に沿った屈曲部を形成し、該屈曲部の端部から突出する係止突起を設け、該係止突起に前記ベルト体の端部を長さ調整自在に連結する請求項１又は２記載のギター用サムピック。
【発明の詳細な説明】
【０００１】
【発明の属する技術分野】
本発明は、ギターを演奏する際に、親指に装着して使用するギター用サムピックに関する。
【０００２】
【従来の技術】
ギターの演奏に用いられるサムピックは、例えば、ベースランニング奏法や、スリー・フィンガー奏法の他、５弦バンジョー、リゾネーター・ギター、スティール・ギター等の演奏にも用いられている。サムピックの材質は、セルロイド等のプラスチック製や、金属製、鼈甲製などが使用されている。
【０００３】
従来のサムピックは、弦を弾く爪部分と親指に巻き付ける固定部分とが一体になった形状を成している。このため、演奏時の指の発熱や発汗によってサムピックの位置がずれてしまう不都合があった。また、既成のサムピックから指に合ったサイズを選択して使用するので、指からずれないようにするには、少しきつめのサムピックが使用され、既成のサムピックでは指が痛くなることがある。そこで、親指に巻き付けて固定する構造のサムピックが特許文献１で提案されている。
【０００４】
特許文献１のサムピックは、ベルトの両端に大小２個のつめを設けると共に、このベルトの一端部を挿入する差し込み口をベルトの他端部に設けたものである。使用時には、親指に巻きつけたベルトの一端を差し込み口に挿入し、この挿入したベルト側面に突設された突起を差し込み口に係止して固定する。
【０００５】
一方、特許文献２にベルト式琴爪が記載されている。このベルト式琴爪は、指に巻き付ける長さ調節自在のベルトを設け、このベルトの内側に、滑りにくい素材でできたポケットを設けたもので、爪片の根元部をポケットに差し込んで演奏する。このベルト式琴爪によると、演奏中に指から外れたり、ゆるんだりせず、また爪片の取り付け角度や深さを自在に容易に変えられる利点があるとされている。
【０００６】
【特許文献１】
実開昭５４−１５１３２６号公報
【特許文献２】
特開２００２−４１０３１号公報
【０００７】
【発明が解決しようとする課題】
特許文献１に記載されたサムピックは、前述の如く、弦を弾く爪と、親指に巻き付けるベルトとを一体にして形成しているので、爪とベルトの材質は同じ材質になる。この結果、弦を弾く爪として好適な材質と、ベルトとして好適な材質とを使い分けることができなくなる。例えば、爪として好適な材質は、セルロイドや、金属、本鼈甲など、弦を弾く為に硬質で張りのある材質が適している。一方、ベルトの材質は、親指に巻き付け易いように柔軟な材質が適している。このように、爪とベルトは、機能的に相反する性質の材質がそれぞれ適するので、爪とベルトとを同じ材質で形成した場合には、いずれか一方に適した材質を選択するか、あるいは両方の機能に、ある程度妥協した範囲の材質から選択することになる。両方の機能に妥協する材質とは、言わば、両方の機能が低下する材質であることを意味する。
【０００８】
更に、特許文献１のように、親指に巻きつけたベルトを、突出した爪の基端部に固定すると、爪の弾力性が損なわれてしまい、従来から使用されているサムピックのような適度な弾性が得られなくなる。すなわち、従来から使用されているサムピックにおいて、突出した爪は、この爪の基端部に至るまで連続形成されており、この基端部が突出した爪と一体となって爪の弾性力を幅広く調整できる構造になっている。しかしながら、特許文献１のように、突出した爪の基端部をベルトで固定すると、基端部の弾性力が爪に伝わらなくなり、従来のような弾性力が失われ、使い勝手が極めて悪くなる不都合が生じる。また、サムピックを装着した指に、ベルト体２を介して過度のショックが加わるので、指が痛くなる虞もある。
【０００９】
また、特許文献１のベルトは、爪の基端部に設けられた前記差し込み口に通した後、親指の側面を巻きつけるようにして保持される。しかしながら、サムピックにおいて、爪の基端部分は、爪の弾性力を調整すると共に、最初に弦に接触するピッキング操作上、重要な部分でもある。つまり、振動している弦をサムピックで弾くには、まず、爪の基端部分で弦を押さえた後に爪の先で弾くといった動作になる。このとき、基端部分の面がフラットになっていないと、弦の振動をうまくコントロールできずに、所謂ビビリ音と称する音が発生する。この種の音は、演奏法によってできるだけ発生させない場合や、ある程度必要な音になる場合もあることから、サムピックの基端部分による弦のコントロールは極めて重要な操作になっている。その為、特許文献１のように、爪の基端部分にベルトを巻きつけていると、弦の振動をコントロールすることが全くできず、ギターのサムピックとして使用することは極めて困難である。
【００１０】
一方、特許文献２に記載のベルト式琴爪は、ベルトと爪片とを別体に形成しているので、夫々の機能に適した材質を選択することが可能になっている。ところが、琴の爪は、親指、人差し指、中指の三本に装着する際に、夫々指の本当の爪と向かい合うように装着して使用するものである。したがって、琴の爪とギターのサムピックとは、基本構成が全く異なっており、特許文献２のベルト式琴爪をギターのサムピックとして使用することはできない。
【００１１】
そこで本発明は上述の課題に鑑み創出されたもので、演奏時の指の発熱や発汗等によってサムピックの位置がずれてしまう不都合を解消し、しかも、ギターの各種演奏法に最適なピッキングが可能になるギター用サムピックの提供を目的とする。
【００１２】
【課題を解決するための手段】
上述の目的を達成すべく本発明の第１の手段は、ギター用のピック体１と該ピック体１を指に固定するベルト体２とから成るギター用サムピックにおいて、ピック体１は、親指に接触する基端部分１Ｂから弦を弾く突出部分１Ａが一体に延長され、ベルト体２は前記ピック体と別体に形成され、ベルト体２の両端部をピック体１に長さ調整自在に連結することにある。
【００１３】
第２の手段は、ピック体１の突出部分１Ａから基端部分１Ｂにかけて屈曲された切込み１Ｃを設け、該切込み１Ｃの内側に形成した略舌片状の連結片３と前記ベルト体２の一端部とを着脱自在に連結する。
【００１４】
第３の手段は、ピック体１の基端部１Ｂ末端に、親指の側面に沿った屈曲部１Ｄを形成し、該屈曲部１Ｄの端部から突出する係止突起４を設け、該係止突起４に前記ベルト体２の端部を長さ調整自在に連結することにある。
【００１５】
本発明サムピックによると、ベルト体２に固定されたピック体１は、突出部分１Ａと基端部分１Ｂとの弾性力を損なわずに使用することができる。また、基端部分１Ｂによる弦のコントロールも自由に行える。
【００１６】
【発明の実施の形態】
以下、図面を参照して本発明の実施の形態を説明する。
【００１７】
本発明サムピックは、ギターの弦に適した材質のピック体１と、ピック体１を親指に固定するベルト体２とからなる（図１参照）。ピック体１の材質は、従来のサムピックとして使用されているセルロイド等のプラスチック材や、金属材、鼈甲材などが適宜選択される。一方、ベルト体２の材質は、柔軟で、熱などによって延びずに、指に馴染み易い材質、例えばシリコン樹脂やナイロンなどが好適であるが、皮革材等の天然素材など、他の材質を選択することも可能である。
【００１８】
ピック体１は、基本的にフラットな面を操作面として有し、親指に接触する基端部分１Ｂと、この基端部分１Ｂから弦を弾く突出部分１Ａとが一体に延長されたものである（図２参照）。更に、ピック体１の突出部分１Ａから基端部分１Ｂにかけて屈曲された切込み１Ｃを設けている。そして、切込み１Ｃの内側に略舌片状の連結片３を形成し、この連結片３にベルト体２の端部を連結する（図２、３参照）。この切込み１Ｃは、ピック体１の弾性力を調整するもので、突出部分１Ａに近い部分の屈曲部分から、基端部分１Ｂ方向に開放端部が延長された略馬蹄形状を成しており、ピック体１の長手方向に沿って長く形成するほど柔軟な弾性力が得られる。切込み１Ｃは、図示例の略馬蹄形状のほか、略コ字型や略く字型など任意に変更できるが、いずれにしても、屈曲された切込み１Ｃの開放端部が基端部分１Ｂ方向を向くように形成する。また、連結片３の形状も、この切込み１Ｃの形状に沿った舌片状になる。更に、切込み１Ｃの形状と連結片３の形状を変えて形成することも可能である。
【００１９】
図示の切込み１Ｃには、更に各演奏者が好みで弾性力を調整できるようにするために、切込み１Ｃの開放端部に切込み補助線１Ｅを併設している（図３参照）。この切込み補助線１Ｅは、複数の穿孔を略ミシン目状に形成したもので、演奏者自身が切込み補助線１Ｅに沿って切込み１Ｃを延長できるようにしたものである。また、ピック体１の厚みを薄肉状にして切込み補助線１Ｅを設けることもできる。
【００２０】
切込み１Ｃの内側に形成した連結片３は、ベルト体２に連結したピック体１の弾性力を損なわないようにするものである（図３参照）。すなわち、この連結片３にベルト体２の端部を連結することで、ピック体１を固定しながら、前記切込み１Ｃと共に、ピック体１基端部分１Ｂの弾性力を保持する作用がある。図示の連結片３は、連結片３の屈曲した端部がわ内側に連結フック３Ａを突設し、ベルト体２の連結口２Ａを、この連結フック３Ａに連結している（図２参照）。この連結構造は、図示例に限られるものではなく、ベルト体２を固定できる構造であればよい。
【００２１】
一方、ピック体１の基端部１Ｂ末端に、親指の側面に沿った屈曲部１Ｄを形成し、この屈曲部１Ｄの端部に係止突起４を突設している（図２参照）。屈曲部１Ｄは、ピック体１の端部に連結するベルト体２の操作上の影響を少なくしている。すなわち、屈曲部１Ｄの端部から突出する係止突起４に、ベルト体２を連結することで、基端部分１Ｂのフラットな面の操作を妨げずに済むものである。図示例の係止突起４は、フック形状を成し、この係止突起４に、ベルト体２の端部を長さ調整自在に連結している。この係止突起４も図示例に限られず、他の係止手段を採用してもよい。
【００２２】
ベルト体２は、親指に巻き付けてピック体１を固定するもので、ベルト体２の一端に設けた連結口２Ａをピック体１の連結片３に連結し、ベルト体２の他端に複数設けた調整口２Ｂをピック体１の係止突起４に係止する（図４参照）。調整口２Ｂは、ベルト体２の長手方向に沿った複数の開口部からなり、この開口部の位置を選択してベルト体２の長さを調整する。また、図示のごとく、複数の開口部を多数配置することで、これら開口部の拡開状態によって、ベルト体２の締め付け強度を微妙に調整できる利点もある。更に、最適な長さに調整した後は、ベルト体２のいらない部分を任意に切除することで、演奏者の指にあった最適なサムピックとして使用できる。尚、ピック体１及びベルト体２の形状や細部の構成は、図示例に限られるものではなく、自由な設計変更が可能である。
【００２３】
【発明の効果】
本発明は上述の如く構成したことにより、当初の目的を達成した。
【００２４】
すなわち、ベルト体２はピック体と別体に形成され、ベルト体２の両端部をピック体１に長さ調整自在に連結することにより、演奏時の指の発熱や発汗によってサムピックの位置がずれてしまう不都合を解消する。しかも、ピック体１に適した材質と、ベルト体２に適した材質を夫々選択できるので、サムピックとして最適な材質を各演奏者の好みに応じて使用することが可能になる。
【００２５】
また、ピック体１の突出部分１Ａから基端部分１Ｂにかけて屈曲された切込み１Ｃを設け、該切込み１Ｃの内側に形成した略舌片状の連結片３と前記ベルト体２の一端部とを着脱自在に連結するので、ピック体１がベルト体２に固定されていても、ピック体１の突出部分１Ａと基端部分１Ｂとの弾性力を損なうことがなく、ピック体１全体の弾性を演奏に使用できる。
【００２６】
更に、ピック体１の基端部１Ｂ末端に、親指の側面に沿った屈曲部１Ｄを形成し、該屈曲部１Ｄの端部から突出する係止突起４を設け、該係止突起４に前記ベルト体２の端部を長さ調整自在に連結しているので、演奏者の指に合った最適な装着が可能になる。この結果、長時間使用していても、指が痛くなるといった不都合は解消された。
【００２７】
しかも、ピック体１の屈曲部１Ｄから係止突起４を突設し、この係止突起４にベルト体２を連結しているので、ピック体１の基端部分１Ｂによる弦の操作をベルト体２が妨げずに済み、従来のサムピックと同様に扱うことができるので、各種演奏法に適したピッキングが可能になる。
【００２８】
このように、本発明によると、演奏時の指の発熱や発汗によってサムピックの位置がずれてしまう不都合を解消し、しかも、ギターの各種演奏法に最適なピッキングが可能になるものである。
【図面の簡単な説明】
【図１】本発明の一実施例を示す装着状態の斜視図である。
【図２】本発明の一実施例を示す側面図である。
【図３】本発明のピック体の一実施例を示す平面図である。
【図４】本発明のベルト体の一実施例を示す平面図である。
【符号の説明】
１  ピック体          １Ａ  突出部分
１Ｂ  基端部分
１Ｃ  切込み
１Ｄ  屈曲部
１Ｅ  切込み補助線
２  ベルト体          ２Ａ  連結口
２Ｂ  調整口
３  連結片            ３Ａ  連結フック
４  係止突起
【図１】
2004354839.tif 000003
【図２】
2004354839.tif 000004
【図３】
2004354839.tif 000005
【図４】
2004354839.tif 000006